(57)【要約】【課題】構成が簡単であり、取り付けも容易であり、駆動アームの形状如何に拘わらず（すなわち、駆動アームの移動軌跡に拘わらず）、容易に施工することができる防虫網を備えた窓開閉機構および防虫網を提供することを目的とする。【解決手段】一側縁を枢支された窓２０と該窓２０の開口部２１を閉鎖する防虫網２３と前記窓２０を前記防虫網２３の室外側において開放および閉鎖する駆動手段２８とを有する窓開閉機構２４であって、前記防虫網２３は、前記駆動手段２８の貫通箇所に前記防虫網２３の駆動手段２８の逃がし開口部３０を備えると共に、前記防虫網２３を貫通して駆動する前記駆動手段２８の開閉動作に追従可能な膨出袖部３２を備えるよう構成した。【選択図】    図３
2007215436.tif 000002
【特許請求の範囲】
【請求項１】
一側縁を枢支された窓と該窓の開口部を閉鎖する防虫網と前記窓を前記防虫網の室外側において開放および閉鎖する駆動手段とを有する窓開閉機構であって、
前記防虫網は、前記駆動手段の貫通箇所に前記防虫網の駆動手段の逃がし開口部を備えると共に、前記防虫網を貫通して駆動する前記駆動手段の開閉動作に追従可能な膨出袖部を備えてなることを特徴とする防虫網を備えた窓開閉機構。
【請求項２】
一側縁を枢支された窓と該窓の開口部を閉鎖する防虫網と前記窓を前記防虫網の室外側において開放および閉鎖する駆動手段とを有する窓開閉機構に適用する防虫網であって、
前記駆動手段の貫通箇所に前記防虫網の駆動手段の逃がし開口部を備えると共に、前記防虫網を貫通して駆動する前記駆動手段の開閉動作に追従可能な膨出袖部を備えてなることを特徴とする防虫網。
【発明の詳細な説明】
【技術分野】
【０００１】
本発明は、例えば農業用温室や農業用ハウス（以下「農業用温室」という）の屋根等に設けられた開閉式の窓から害虫が侵入することを防止する防虫網を備えた窓開閉機構および防虫網に関するものであり、より詳しくは、前記防虫網を貫通して開閉動作する前記窓の駆動手段に拘わらず、効果的に隙間を閉鎖できると共に、スムースな開閉動作を行うことができる防虫網を備えた窓開閉機構および防虫網に関する。
【背景技術】
【０００２】
従来、農業用温室には、屋根に換気用又は採光用等のために窓（天窓等）が設けられるとともに、前記窓の開口部から害虫が侵入することがないように、又は、農作物栽培に使用する受粉用昆虫や天敵昆虫（生物農薬）が室内から逃げ出して生態系に悪影響を及ぼさないように、前記窓の開口部に防虫網が取り付けられているものがある。
【０００３】
このような農業用温室として、例えば、図９に示されるように、垂木Ａの上面に型材を介してガラス板を張り渡して屋根面Ｂを構成するとともに、該屋根面Ｂの一部に換気用の開口部Ｃを開口させており、しかもこの開口部Ｃには天窓Ｄが、その一側端部をヒンジＥにより棟材Ｆの天窓支承部に回転自在に支承させてヒンジ機構を構成し、該ヒンジ機構を支点として、駆動アームＧ、リンク機構Ｈを介して駆動手段により同図の実線位置から鎖線位置にかけて開閉が自在に構成されており、しかも、前記開口部Ｃには防虫用の網枠Ｉが取り付けられているものがある。
【０００４】
前記網枠Ｉは、図１０に示すように、前記開口部Ｃ全体を覆うに十分な大きさの網Ｊを、前記駆動アームＧの移動軌跡に合わせて２分割し、内部に防虫網を張り巡らせた網枠Ｉと、該両網枠Ｉの相互に対接する側の端部に取り付けられ、それぞれの端部を略接触させて両網枠Ｉ間の間隙を閉塞することのできるゴム板Ｋとからなり、両ゴム板Ｋ，Ｋによって前記駆動アームＧを挟み込ませた状態のまま、その移動を行うように構成している。
【０００５】
しかしながら、前記の窓開閉構造においては、前記駆動アームＧの位置が常時移動しているわけではなく、特に天窓Ｄを全開にし、あるいは全閉状態に保持する場合には、前記駆動アームＧがその位置に比較的長時間留まりやすいために、前記ゴム板Ｋの特定の箇所に前記駆動アームＧよる曲げ癖ができやすく、また前記天窓Ｄを開閉する際において、前記駆動アームＧの移動方向に対して横ぶれを起こし、両ゴム板Ｋ，Ｋのいずれか一方の側に偏ることがある。そして上記のいずれの場合においても両ゴム板Ｋ，Ｋ間に、部分的な隙間を生じ得る。
【０００６】
これらの問題を解決するために、例えば、実開平０５−７４２４７号公報に記載の防虫網収納装置が提案されている。該防虫網収納装置は、図１１および図１２に示すように、開口部Ｌを防虫網Ｍで覆った前記開口部Ｌの外側において開閉する天窓Ｎと、温室内に設置され、前記防虫網Ｍを貫通する駆動アームＯを介して前記天窓Ｎを開閉する駆動機構とを有するとともに、前記防虫網Ｍの前記駆動アームＯの貫通箇所には、その中央に、少なくとも前記駆動アームＯの移動範囲以上の小窓Ｐを開設したカバープレートＱを嵌め込むとともに、前記駆動アームＯには、これに追従移動が可能であって、しかも移動時においても前記カバープレートＱの小窓Ｐを完全に覆うことのできるスライドプレートＲを嵌め込み、しかも前記カバープレートＱに対してスライド自在に重ね合わせて構成しており、これにより温室における前記開口部Ｌを覆う防虫網Ｍのシール性を向上させると共に、経時的使用によっても防虫効果の完全を期すことができるように構成されている。
【０００７】
【特許文献１】実開平０５−７４２４７号公報
【発明の開示】
【発明が解決しようとする課題】
【０００８】
しかしながら、前記実開平０５−７４２４７号公報に記載された防虫網を備えた窓開閉機構は、構造が複雑であり、部品点数等も多く、前記駆動アームＯの移動範囲と前記カバープレートＱの小窓Ｐを位置を合わせたうえで、取り付ける等の必要が生じ、施工時においても、取付工程が難しいものであった。さらに、例えば後述する図１乃至図７に示すように、駆動アームがＶ字状に広がって伸びるタイプの開閉機構を有する農業用温室では、構造上非常に複雑なものとなり、実際上取り付けることは困難である。
【０００９】
本発明は、かかる事情に鑑みてなされたものであって、構成が簡単であり、取り付けも容易であり、駆動アームの形状如何に拘わらず（すなわち、駆動アームの移動軌跡に拘わらず）、容易に施工することができる防虫網を備えた窓開閉機構および防虫網を提供することを目的とする。
【課題を解決するための手段】
【００１０】
請求項１に記載の防虫網を備えた窓開閉機構は、一側縁を枢支された窓と該窓の開口部を閉鎖する防虫網と前記窓を前記防虫網の室外側において開放および閉鎖する駆動手段とを有する窓開閉機構であって、前記防虫網は、前記駆動手段の貫通箇所に前記防虫網の駆動手段の逃がし開口部を備えると共に、前記防虫網を貫通して駆動する前記駆動手段の開閉動作に追従可能な膨出袖部を備えてなることを特徴とする。
【００１１】
請求項１に記載の防虫網を備えた窓開閉機構にあっては、前記防虫網は、駆動手段の逃がし開口部と前記駆動手段の開閉動作に追従可能な膨出袖部を取り付けるだけでよいので、構成が簡単であり、取り付けも容易であり、駆動アームの移動軌跡に拘わらず容易に製造することができ、さらに施工性も良いものとなる。
【００１２】
請求項２に記載の防虫網は、一側縁を枢支された窓と該窓の開口部を閉鎖する防虫網と前記窓を前記防虫網の室外側において開放および閉鎖する駆動手段とを有する窓開閉機構に適用する防虫網であって、前記駆動手段の貫通箇所に前記防虫網の駆動手段の逃がし開口部を備えると共に、前記防虫網を貫通して駆動する前記駆動手段の開閉動作に追従可能な膨出袖部を備えてなることを特徴とする。
【００１３】
請求項２に記載の防虫網にあっては、駆動手段の逃がし開口部と前記駆動手段の開閉動作に追従可能な膨出袖部を取り付けるだけでよいので、構成が簡単であり、取り付けも容易であり、駆動アームの移動軌跡に拘わらず容易に製造することができ、さらに、施工性も良いものとなる。
【発明の効果】
【００１４】
請求項１に記載の防虫網を備えた窓開閉機構によれば、一側縁を枢支された窓と該窓の開口部を閉鎖する防虫網と前記窓を前記防虫網の室外側において開放および閉鎖する駆動手段とを有する窓開閉機構であって、前記防虫網は、前記駆動手段の貫通箇所に前記防虫網の駆動手段の逃がし開口部を備えると共に、前記防虫網を貫通して駆動する前記駆動手段の開閉動作に追従可能な膨出袖部を備えているので、前記防虫網は、駆動手段の逃がし開口部と前記駆動手段の開閉動作に追従可能な膨出袖部を取り付けるだけでよく、構成が簡単であり、取り付けも容易であり、駆動アームの移動軌跡に拘わらず容易に施工することができる。
【００１５】
請求項２に記載の防虫網によれば、一側縁を枢支された窓と該窓の開口部を閉鎖する防虫網と前記窓を前記防虫網の室外側において開放および閉鎖する駆動手段とを有する窓開閉機構に適用する防虫網であって、前記駆動手段の貫通箇所に前記防虫網の駆動手段の逃がし開口部を備えると共に、前記防虫網を貫通して駆動する前記駆動手段の開閉動作に追従可能な膨出袖部を備えているので、前記防虫網にあっては、駆動手段の逃がし開口部と前記駆動手段の開閉動作に追従可能な膨出袖部を取り付けるだけでよく、構成が簡単であり、取り付けも容易であり、駆動アームの移動軌跡に拘わらず容易に製造することができ、さらに施工性も良いものとなる。
【発明を実施するための最良の形態】
【００１６】
以下、本発明を実施するための最良の形態を図面に基づいて具体的に説明する。
【００１７】
（第１の実施の形態）
【００１８】
図１は、本発明の第１の実施の形態にかかる防虫網を備えた窓開閉機構を有する農業用温室の概略斜視図であり、図２は、同農業用温室の要部断面図である。
【００１９】
図１および図２において、１０は連棟型の農業用温室であり、山型に組み合わされた屋根面１１を複数棟連結して構成される。図中１２は支柱であり、該支柱１２は、横方向（梁行方向）と奥行方向（桁方向）に夫々複数本が立設されており、該支柱１２上部には横方向に向けて梁材１３を架設すると共に、これと直交する奥行方向において長尺の桁材１４を架設している。
【００２０】
該桁材１４には奥行方向に向けて垂木材１５が多数並設されており、該垂木材１５は、天頂部１６において、合掌状に逆斜面の垂木材１５と連結しており、山型状の前記屋根面１１を形成しており、また、前記天頂部１６には、長尺状の棟材１７を奥行方向に取り付けており、ガラス板１８を張り渡して形成した屋根面１１を支えると同時に、上部両側にはヒンジ受部１７ａを形成して天窓２０を支承している。
【００２１】
前記天窓２０は、天窓上枠材２０ａと天窓下枠材２０ｂと天窓側枠材２０ｃ，２０ｄとを枠組みし、ガラス板を嵌め込んで形成しており、前記天窓上枠材２０ａの端部にはヒンジ部２０ｅを形成して、前記棟材１７に設けられたヒンジ受部１７ａに、回動自在に嵌合されている。
【００２２】
そして、前記天窓２０の開口部２１には、前記屋根面と略面一となるように、網枠材２２が嵌め込んでおり、該網枠材２２に防虫網２３を張設して、前記天窓２０を換気等のために開放した場合に、前記開口部２１からの害虫の侵入又は受粉用等昆虫の逃走を防止している。また、前記網枠材２２には横桟２２ａが架設されており、前記防虫網２３を上部防虫網２３ａと下部防虫網２３ｂの二段に仕切っている。
【００２３】
図中２４は、前記天窓２０の開閉機構であり、該天窓の開閉機構２４は、前記梁材１３と水平に設置されたレール２５と、該レール２５に滑車２６にて懸架された駆動軸２７と、該駆動軸２７の端部に設けて前記駆動軸２７の水平移動を行う駆動手段（図示せず）と、前記駆動軸２７の上部に上方に向けて回動自在に取り付けた略Ｖ字状の駆動アーム２８とを含み、前記駆動軸２７を横方向に水平移動することにより、前記駆動軸アーム２８を揺動させながら上下動させて、これにより、前記駆動アーム２８の先端に取り付けた前記天窓側枠材２０ｃ，２０ｄを上下動させて、前記防虫網２３の室外側にて、前記天窓２０の開放および閉鎖を行っている。
【００２４】
図３は、開放した状態の天窓および天窓周辺を示す拡大断面図であり、図４は、天窓の開放状態を室内側から示す斜視図である。図５は、閉鎖した状態の天窓および天窓周辺を示す拡大断面図であり、図６は、天窓の閉鎖状態を室内から示す斜視図である。また、図７は、防虫網の要部を示す（ａ）は正面図であり、（ｂ）は側面図である
【００２５】
前記下部防虫網２３ｂには、前記駆動アーム２８を貫通させるために前記駆動アーム２８の外径よりも僅かに径大の逃がし開口部３０を開設すると共に、前記駆動アーム２８の移動軌跡を担保するために楕円形状のアームホール３１を開設しており、該アームホール３１の周端縁から前記逃がし開口部３０に向けて、室外側に膨出するように膨出袖部３２を形成している。なお、本実施形態では、前記防虫網２３上における前記駆動アーム２８の軌跡は略ハ字状であるため、前記アームホール３１もこれに合致するように略ハ字状に形成している。
【００２６】
前記天窓２０を最大限に開放した状態においては、図３及び図４に示すように、前記膨出袖部３２は、前記駆動アーム２８の開動作に追従して上方に突出した状態に位置している。このとき、前記逃がし開口部３０は、前記駆動アーム２８の外径よりも僅かに径大に形成されているため、前記駆動アーム２８の移動に対して摺動し、追従移動を行うのであって、この追従移動によって、前記膨出袖部３２は最上部に位置しているのである。
【００２７】
そして、前記天窓２０を閉鎖した場合は、図５および図６に示すように、前記駆動アーム２８の閉動作に伴い、前記膨出袖部３２は、室内側に引き込まれて収納されるのであるが、このとき、前記膨出袖部３２は、前記逃がし開口部３０を頂点とする略円錐形状に形成されているので、裏返し状に収納されるか、若しくは、円錐状に重なるように収納され、何れにしても、嵩高くならず、好適に収納することができ、前記天窓２０からはみ出ることなく収納することができる。
【００２８】
（第２の実施の形態）
【００２９】
図８は、他の防虫網を備えた開放した状態の天窓を室内側から示す斜視図である。図中３２０ａは、第２の実施の形態の防虫網２３である。前述した第１の実施形態では、前記駆動アーム２８は略Ｖ字形状であり、したがって、前記アームホール３１も前記駆動アーム２８の移動軌跡に合致する形状から構成されるが、本実施の形態の駆動アーム２８０は、１本であり、前記天窓下枠材２０ｂの中央部に軸支されている。したがって、これに対応する前記アームホール３１０も、前記下部防虫網の横方向略中央部に直線上に開設されている。このように、前記アームホール３１０は前記駆動アーム２８０の移動軌跡に沿って開設するとよく、前記駆動アームの形状（すなわち、前記防虫網上の軌跡）の如何にっかわらず、前記駆動アームの形状に合わせて開設するとよいのである。
【００３０】
前記防虫網２３は、以上のような構成からなるため、構造が簡単で容易に製造ができるとと共に、前記駆動アーム２８，２８０に対して追従性が良く、しかも確実に防虫効果を発揮できるもである。また、前記駆動アーム２８，２８０の形状が相違する場合であっても、製造変更を容易に行うことができ、さらに、施工性もよく、既存の農業用温室にも容易に取り付けることができるという優れた効果を奏するもである。
【００３１】
また、前述のように、前記防虫網枠２２を上下二段に分けて構成した場合にあっては、下部２３ｂ又は上部２３ａの防虫網にのみ、前記構造を付加すればよく、一方の防虫網枠には、例えば、栽培作物の相違や季節の相違等に適宜合わせて、網目の大きさが異なる防虫網２３ａ又は２３ｂに張り替える等の作業が行うことができ、より効率的な運用が可能となるのである。さらに、前記防虫網枠２２を上下二段に分けて構成した場合にあっては、前記構造を付加した何れかの防虫網（下部２３ｂ又は上部２３ａの防虫網）部分を、網素材ではなく、布帛素材や合成樹脂フィルム素材等の可撓性を有する素材で構成してもよい。
【図面の簡単な説明】
【００３２】
【図１】本発明にかかる防虫網を備えた窓開閉機構を有する農業用温室の概略斜視図である。
【図２】農業用温室の要部断面図である。
【図３】開放した状態の天窓および天窓周辺を示す拡大断面図である。
【図４】天窓の開放状態を室内側から示す斜視図である。
【図５】閉鎖した状態の天窓および天窓周辺を示す拡大断面図である。
【図６】天窓の閉鎖状態を室内から示す斜視図である。
【図７】防虫網の要部を示す（ａ）は正面図であり、（ｂ）は側面図である
【図８】他の防虫網を備えた開放した状態の天窓を室内側から示す斜視図である。
【図９】従来例を示す部分断面図である。
【図１０】従来例を示す要部平面図である。
【図１１】従来例を示す部分断面図である。
【図１２】従来例を示す要部斜視図である。
【符号の説明】
【００３３】
１０    農業用温室
１１    屋根面
１２    支柱
１３    梁材
１４    桁材
１５    垂木材
１６    天頂部
１７    棟材
１７ａ  ヒンジ受部
１８    ガラス板
２０    天窓
２０ａ  天窓上枠材
２０ｂ  天窓下枠材
２０ｃ  天窓側枠材
２０ｄ  天窓側枠材
２０ｅ  ヒンジ部
２１    開口部
２２    網枠材
２３    防虫網
２３ａ  上部防虫網
２３ｂ  下部防虫網
２４    開閉機構
２５    レール
２６    滑車
２７    駆動軸
２８    駆動アーム
３０    逃がし開口部
３１    アームホール
３２    膨出袖部
２８０  駆動アーム
３１０  アームホール
【図１】
2007215436.tif 000003
【図２】
2007215436.tif 000004
【図３】
2007215436.tif 000005
【図４】
2007215436.tif 000006
【図５】
2007215436.tif 000007
【図６】
2007215436.tif 000008
【図７】
2007215436.tif 000009
【図８】
2007215436.tif 000010
【図９】
2007215436.tif 000011
【図１０】
2007215436.tif 000012
【図１１】
2007215436.tif 000013
【図１２】
2007215436.tif 000014